(57)【特許請求の範囲】
【請求項１】
直流高速度遮断器，転流装置回路及び転流コンデンサを装着したスイッチギヤにおいて、上記直流高速度遮断器，転流装置回路及び転流コンデンサをそれぞれ個別の台車ユニットに搭載し、転流装置回路台車ユニットと転流コンデンサ台車ユニットは１つの固定枠上に引出方向に対して上記転流装置回路台車ユニットの奥側に上記転流コンデンサ台車ユニットが配置されるように搭載し、上記転流コンデンサ台車ユニットには、上記固定枠に取付けられた端子と結合するための接触子と、上記転流装置回路台車ユニットの接触子と結合するための端子とを設けるとともに、上記端子及び上記接触子を直線上に配置することにより上記転流装置回路台車ユニットと上記転流コンデンサ台車ユニットを接離自在に連結することができるようにしたことを特徴とするスイッチギヤ。
【請求項２】
転流装置回路台車ユニット及び転流コンデンサ台車ユニットは、直流高速度遮断器台車ユニットより上段に配置されていることを特徴とする請求項１に記載のスイッチギヤ。
【請求項３】
昇降床面を有する昇降式引出装置を設けたことを特徴とする請求項１又は２に記載のスイッチギヤ。
【発明の詳細な説明】
【０００１】
【発明の属する技術分野】
この発明は、スイッチギヤに関するものであり、特に直流高速度遮断器，転流装置回路，転流コンデンサを個別のユニット台車に搭載した個別引出方式にしたものである。
【０００２】
【従来の技術】
図５は従来のスイッチギヤを示す側面図であり、図において、スイッチギヤ２１内に、１台の引出形台車ユニット２２が配置されており、この引出形台車ユニット２２には、直流高速度遮断器２３，転流装置回路２４，転流コンデンサ２５，上記直流高速度遮断器２３と転流回路装置２４を接続するための導体２６，さらにはこの導体２６を固定するための碍子２７が搭載されている。
また、直流高速度遮断器２３の接触子２８は、固定枠２９に取付けられた端子３０と接合されており、さらにこの端子３０は盤側導体３１と接続されている。
【０００３】
更に、図６は従来の他のスイッチギヤを示す側面図であり、図において、スイッチギヤ２１内の下段に直流高速度遮断器台車ユニット３２が配置され、中段に設けられた棚板３３上に、転流装置回路２４と転流コンデンサ２５が固定配置されている。
直流高速度遮断器台車ユニット３２の下部接触子２８ａは、固定枠２９に取付けられた下部端子３０ａと接合され、さらに下部端子３０ａは盤側導体３１と接続されている。
又、直流高速度遮断器台車ユニット３２の上部接触子２８ｂは、同じく固定枠２９に取付けられた上部端子３０ｂと結合され、さらに上部端子３０ｂは固定枠２９と転流装置回路２４を接続する導体２６と接続されている。
また、導体２６は棚板３３に取付けられた碍子２７により支持固定されている。
【０００４】
【発明が解決しようとする課題】
従来のスイッチギアは以上のように構成されており、図５に示す１台の引出形台車ユニット方式の場合は、引出形台車ユニットを引出す際に台車が重く、引出し操作がしにくいという問題点があった。
また、図６に示すような、直流高速度遮断器のみが台車ユニット方式で構成されている場合は、転流装置回路と転流コンデンサを保守，点検する場合に時間が長くかかるという問題点があった。
【０００５】
この発明は上記のような問題点を解決するためになされたもので、直流高速度遮断器，転流装置回路，転流コンデンサをそれぞれ個別のユニット台車に搭載することにより、引出し操作時の安全性を向上させるとともに、保守，点検が容易なスイッチギヤを提供することを目的とする。
【０００６】
【課題を解決するための手段】
この発明の請求項１に係るスイッチギヤは、直流高速度遮断器，転流装置回路及び転流コンデンサをそれぞれ個別の台車ユニットに搭載し、転流装置回路台車ユニットと転流コンデンサ台車ユニットは１つの固定枠上に引出方向に対して転流装置回路台車ユニットの奥側に転流コンデンサ台車ユニットが配置されるように搭載し、転流コンデンサ台車ユニットには、固定枠に取付けられた端子と結合するための接触子と、転流装置回路台車ユニットの接触子と結合するための端子とを設けるとともに、端子及び接触子を直線上に配置することにより転流装置回路台車ユニットと転流コンデンサ台車ユニットを接離自在に連結することができるようにしたものである。
【０００７】
この発明の請求項２に係るスイッチギヤは、転流装置回路台車ユニット及び転流コンデンサ台車ユニットを、直流高速度遮断器台車ユニットより上段に配置したものである。
【０００８】
この発明の請求項３に係るスイッチギヤは、昇降床面を有する昇降式引出装置を設けたものである。
【００１０】
【発明の実施の形態】
実施の形態１．
以下、この発明の一実施形態を図に基づいて説明する。
図１はこの発明の実施の形態１によるスイッチギヤを示す側面図であり、図において、スイッチギヤ１の下段に設けられた遮断器固定枠２上に、直流高速度遮断器台車ユニット３が配置され、またスイッチギヤ１の中段に設けられた転流装置固定枠４上に転流装置回路５ａを搭載した転流装置回路台車ユニット５と、転流コンデンサ６ａを搭載した転流コンデンサ台車ユニット６が配置されている。
【００１１】
直流高速度遮断器台車ユニット３の下部接触子７ａは、遮断器固定枠２に取付けられた下部端子８ａと結合され、さらに下部端子８ａは盤側導体９と接続されている。
直流高速度遮断器台車ユニット３の上部接触子７ｂは、同じく遮断器固定枠２に取付けられた上部端子８ｂと結合され、さらに上部端子８ｂは、遮断器固定枠２と転流装置固定枠４とを接続している導体１０と接続されている。
【００１２】
転流装置回路台車ユニット５の接触子１１は、転流コンデンサ台車ユニット６における碍子１２によって取付けられた端子１３に結合されている。
又、転流コンデンサ台車ユニット６の接触子１４は、転流装置固定枠４に取付けられた端子１５と結合され、さらにこの端子１５は、遮断器固定枠２と転流装置固定枠４とを接続している導体１０と接続されている。
また、導体１０は、転流装置固定枠４に取付けられた碍子１６により支持固定されている。
【００１３】
このように、転流装置回路台車ユニット５と転流コンデンサ台車ユニット６は同一の転流装置固定枠４上に収納し、転流コンデンサ台車ユニット６を先に挿入した状態で、後から転流装置回路台車ユニット５が挿入できる構造とする。そして引き出す際は、転流装置回路台車ユニット５を引き出した後、転流コンデンサ台車ユニット６を引き出す。
【００１４】
以上のような機器構成とすることにより、直流高速度遮断器台車ユニット３，転流装置回路台車ユニット５及び転流コンデンサ台車ユニット６を別々に引出しすることが可能となり、引出し操作が容易で、しかも保守，点検時にかかる時間が削減出来る。
【００１５】
実施の形態２．
図２〜図４はこの発明の実施の形態２によるスイッチギヤを示す側面図であり、図において、１７は台車ユニット３，５，６を引き出すための昇降式引出装置、１８は昇降床面１９を昇降させるための、油圧シリンダ等から構成される昇降機構である。
図２は昇降床面１９を下段に降ろした状態で、昇降式引出装置１７により、直流高速度遮断器台車ユニット３をスイッチギヤ１から引出した状態を示している。
【００１６】
次に、図３は昇降床面１９を上段に上げた状態で、昇降式引出装置１７により、転流装置回路台車ユニット５をスイッチギヤ１から引出した状態を示している。
更に、図４は図３と同じく昇降床面１９を上段に上げた状態で、昇降式引出装置１７により、転流コンデンサ台車ユニット６をスイッチギヤ１から引出した状態を示している。
【００１７】
【発明の効果】
この発明の請求項１に係るスイッチギヤによれば、直流高速度遮断器，転流装置回路及び転流コンデンサをそれぞれ個別の台車ユニットに搭載し、転流装置回路台車ユニットと転流コンデンサ台車ユニットは１つの固定枠上に引出方向に対して転流装置回路台車ユニットの奥側に転流コンデンサ台車ユニットが配置されるように搭載し、転流コンデンサ台車ユニットには、固定枠に取付けられた端子と結合するための接触子と、転流装置回路台車ユニットの接触子と結合するための端子とを設けるとともに、端子及び接触子を直線上に配置することにより転流装置回路台車ユニットと転流コンデンサ台車ユニットを接離自在に連結することができるようにしたので、引出し操作が容易となり、保守，点検を短時間で行なうことができる。
【００１８】
この発明の請求項２に係るスイッチギヤによれば、転流装置回路台車ユニット及び転流コンデンサ台車ユニットを、直流高速度遮断器台車ユニットより上段に配置したので、引出し操作が容易となる。
【００１９】
この発明の請求項３に係るスイッチギヤによれば、昇降床面を有する昇降式引出装置を設けたので、各台車ユニットの据え付け位置に応じて容易に引出すことができる。
【図面の簡単な説明】
【図１】  この発明の実施の形態１によるスイッチギヤを示す側面図である。
【図２】  この発明の実施の形態２によるスイッチギヤを示す側面図である。
【図３】  この発明の実施の形態２によるスイッチギヤを示す側面図である。
【図４】  この発明の実施の形態２によるスイッチギヤを示す側面図である。
【図５】  従来のスイッチギヤを示す側面図である。
【図６】  従来のスイッチギヤを示す側面図である。
【符号の説明】
１  スイッチギヤ、３  直流高速度遮断器台車ユニット、４  固定枠、５  転流装置回路台車ユニット、６  転流コンデンサ台車ユニット、１１，１４  接触子、１３，１５  端子、１７  昇降式引出装置、１９  昇降床面。
【図１】
0004351824.tif 000002
【図２】
0004351824.tif 000003
【図３】
0004351824.tif 000004
【図４】
0004351824.tif 000005
【図５】
0004351824.tif 000006
【図６】
0004351824.tif 000007